(57)【要約】【課題】下枠上面の傾斜角度が異なっていても補助下枠の上面が常に略水平状となるサッシを提供する。【解決手段】上下枠及び左右の縦枠を枠組みしてなる枠体１内に内外障子２、３を引き違い状に納めてなり、枠体１を構成する下枠１１は、上面に内外障子を案内する内外レール２０、２１が形成されると共に、内外レールの上端を含む敷居面１５が略平坦に形成されてなり、下枠１１の上面には、内外レール間の領域に補助下枠１６が設けられ、補助下枠１６は内外レールの上端位置と略同じ高さの天面部１６ｃを有し、天面部１６ｃは、室内側部１６ｄが室内側に向かう下方傾斜状に、室外側部１６ｅが室外側に向かう下方傾斜状に、それぞれ形成されると共に、室内側部１６ｄと室外側部１６ｅの傾斜角度が異なる。【選択図】図３
2010150751.tif 000002
【特許請求の範囲】
【請求項１】
上下枠及び左右の縦枠を枠組みしてなる枠体内に内外障子を引き違い状に納めてなり、前記枠体を構成する下枠は、上面に前記内外障子を案内する内外レールが形成されると共に、前記内外レールの上端を含む敷居面が略平坦に形成されてなるサッシにおいて、
前記下枠の上面には、前記内外レール間の領域に補助下枠が設けられ、該補助下枠は前記内外レールの上端位置と略同じ高さの天面部を有し、該天面部は、室内側部が室内側に向かう下方傾斜状に、室外側部が室外側に向かう下方傾斜状に、それぞれ形成されると共に、前記室内側部と室外側部の傾斜角度が異なることを特徴とするサッシ。
【請求項２】
前記天面部は全体が断面弧状をなすように形成されることで、前記室内側部と室外側部が傾斜状とされることを特徴とする請求項１記載のサッシ。
【請求項３】
前記天面部の室内側部は室外側部よりも大きい傾斜角度を有してなることを特徴とする請求項１または２記載のサッシ。
【請求項４】
前記天面部の室内側部は室外側部よりも幅広に形成されてなることを特徴とする請求項３記載のサッシ。
【請求項５】
前記天面部は端面が前記内外障子のいずれかに当接して、該内外障子のいずれかを嵌め殺し状態とすることを特徴とする請求項１〜４のいずれか１項に記載のサッシ。
【発明の詳細な説明】
【技術分野】
【０００１】
本発明は、枠体内に内外障子を引き違い状に納めてなるサッシに関し、特に下枠の敷居面を略平坦とし内外レール間に補助下枠を設けてなるサッシに関する。
【背景技術】
【０００２】
従来、建物開口部に設けられる枠体内に内外障子を引き違い状に納め、内外障子を案内する内外レールの上端を含む下枠の敷居面を略平坦状に形成したサッシが知られている。このようなサッシは、敷居面をできるだけ平坦に近くするため、内外障子を案内する内外レールの間に、補助下枠を設けており、補助下枠の上面は内外レールの上端位置と略同じ高さとなるようにしている。これによって、車椅子が下枠の敷居面を走行しやすくなり、バリアフリー仕様とすることができる。このようなサッシとしては、例えば特許文献１に挙げるようなものがある。
【特許文献１】特開２００４−２９３２２１号公報
【発明の開示】
【発明が解決しようとする課題】
【０００３】
枠体を構成する下枠は、上面が傾斜しているものや傾斜していないものなどがあり、上面が傾斜していない下枠用の補助下枠を、上面が傾斜している下枠に取付けると、補助下枠の上面が傾斜することとなるため、敷居面のフラット性が損なわれると共に、意匠性も悪化することとなる。このため、それぞれについて補助下枠を用意する必要があり、部品の種類が多く必要となってコストアップを招いていた。
【０００４】
本発明は前記課題を鑑みてなされたものであり、下枠上面の傾斜角度が異なっていても補助下枠の上面が略水平状となり、補助下枠を複数種類の下枠に共通して用いることのできるサッシを提供することを目的とする。
【課題を解決するための手段】
【０００５】
前記課題を解決するため、本発明に係るサッシは、上下枠及び左右の縦枠を枠組みしてなる枠体内に内外障子を引き違い状に納めてなり、前記枠体を構成する下枠は、上面に前記内外障子を案内する内外レールが形成されると共に、前記内外レールの上端を含む敷居面が略平坦に形成されてなるサッシにおいて、
前記下枠の上面には、前記内外レール間の領域に補助下枠が設けられ、該補助下枠は前記内外レールの上端位置と略同じ高さの天面部を有し、該天面部は、室内側部が室内側に向かう下方傾斜状に、室外側部が室外側に向かう下方傾斜状に、それぞれ形成されると共に、前記室内側部と室外側部の傾斜角度が異なることを特徴として構成されている。
【０００６】
また、本発明に係るサッシは、前記天面部は全体が断面弧状をなすように形成されることで、前記室内側部と室外側部が傾斜状とされることを特徴として構成されている。
【０００７】
さらに、本発明に係るサッシは、前記天面部の室内側部は室外側部よりも大きい傾斜角度を有してなることを特徴として構成されている。
【０００８】
さらにまた、本発明に係るサッシは、前記天面部の室内側部は室外側部よりも幅広に形成されてなることを特徴として構成されている。
【０００９】
そして、本発明に係るサッシは、前記天面部は端面が前記内外障子のいずれかに当接して、該内外障子のいずれかを嵌め殺し状態とすることを特徴として構成されている。
【発明の効果】
【００１０】
本発明に係るサッシによれば、補助下枠は内外レールの上端位置と略同じ高さの天面部を有し、天面部は、室内側部が室内側に向かう下方傾斜状に、室外側部が室外側に向かう下方傾斜状に、それぞれ形成されると共に、室内側部と室外側部の傾斜角度が異なることにより、補助下枠が取付けられる下枠の上面の傾斜角度が異なっていても、天面部を略水平な状態とすることができ、上面の傾斜角度が異なる複数種類の下枠に共通の補助下枠を用いることができるので、部品の共用化によるコストダウンを図ることができる。
【００１１】
また、本発明に係るサッシによれば、天面部は全体が断面弧状をなすように形成されることで、室内側部と室外側部が傾斜状とされることにより、下枠上面の傾斜角度が所定範囲であればいずれも共通の補助下枠を用いることができ、部品の共用化をより図ることができる。
【００１２】
さらに、本発明に係るサッシによれば、天面部の室内側部は室外側部よりも大きい傾斜角度を有してなることにより、下枠上面が室内側から室外側に向かう下方傾斜状に形成されている場合に、天面部の室内側部が水平に近い状態となるため、確実に天面部を略水平状とすることができる。
【００１３】
さらにまた、本発明に係るサッシによれば、天面部の室内側部は室外側部よりも幅広に形成されてなることにより、下枠上面が室内側から室外側に向かう下方傾斜状に形成されている場合に、水平に近い状態となる室内側部がより幅広となるため、歩行や車椅子の走行をよりしやすくできる。
【００１４】
そして、本発明に係るサッシによれば、天面部は端面が内外障子のいずれかに当接して、内外障子のいずれかを嵌め殺し状態とすることにより、簡易な構造で障子の嵌め殺し構成を実現することができる。
【発明を実施するための最良の形態】
【００１５】
本発明の実施形態について図面に沿って詳細に説明する。図１には本実施形態におけるサッシの縦断面図を、図２には本実施形態におけるサッシの横断面図を、それぞれ示している。これら各図に示すように、本実施形態におけるサッシは、建物開口部に設けられる枠体１内に内障子２と外障子３が引き違い状に納められてなり、外障子３の室外側にはさらに網戸４が走行自在に納められている。
【００１６】
枠体１は、上枠１０と下枠１１及び左右の縦枠１２、１２を方形状に枠組みして構成されている。上枠１０の内周面には、内障子２を上枠１０の長手方向に案内する内案内部１０ａと、外障子３を上枠１０の長手方向に案内する外案内部１０ｂとが形成されている。
【００１７】
内障子２が配置される側の縦枠１２は、内障子２の外周面と対向する位置に内周側に向かって突出する内周突出片１２ａを有しており、内障子２に設けられる気密材２ａが当接することで、枠体１と内障子２との間の気密性を確保する。また、外障子３が配置される側の縦枠１２は、外障子３の外周面と対向する位置に内周側に向かって突出する内周突出片１２ｂを有しており、外障子３に設けられる気密材３ａが当接することで、枠体１と外障子３との間の気密性を確保する。
【００１８】
内障子２と外障子３は、いずれも方形状に框組みされてなる框体５内にガラス板からなるパネル体６を納めて構成され、下端部にはこれらを走行自在とするための戸車７が設けられている。
【００１９】
次に、下枠１１の構成について詳細に説明する。図３には図１の下枠１１付近拡大図を示している。この図に示すように、下枠１１は、断面中空状に形成されると共に、上面には室外側から順に網戸４を案内する網戸レール２２と、外障子３を案内する外レール２１と、内障子２を案内する内レール２０、及び室内立ち上がり片２３が突出状に形成されている。下枠１１の外レール２１、内レール２０及び室内立ち上がり片２３は、いずれも上端位置が略同じ高さとなるように形成されている。
【００２０】
また、内レール２０と室内立ち上がり片２３の間には、室内樹脂片１３が設けられ、室内樹脂片１３は室内立ち上がり片２３から室内側に延出されてアングル部１４を形成している。下枠１１のアングル部１４は、上面が内レール２０や外レール２１及び網戸レール２２の上端位置と略同じ高さとなるようにされており、これらによって略平坦な下枠１１の敷居面１５を構成している。なお、室内樹脂片１３は、図１及び図２に示すように上枠１０及び縦枠１２にもそれぞれ設けられており、室内側に延出されたアングル部１４をそれぞれ有している。
【００２１】
下枠１１の上面において内レール２０と外レール２１の間の領域は、凹状部２４となっている。凹状部２４は、内レール２０と外レール２１が側面となり、その間の下枠１１上面が底面となった凹部により構成されている。また、凹状部２４の底面である下枠１１の上面は、室内外方向中間位置に小さな段差部２４ａを有する他は、室内外方向に水平な面として形成されている。
【００２２】
凹状部２４には、補助下枠１６が設けられる。補助下枠１６は、凹状部２４の底面に取付固定される取付部１６ａと、取付部１６ａから上方に立ち上がる立ち上がり部１６ｂと、立ち上がり部１６ｂの上端において室内外方向にそれぞれ延出された天面部１６ｃとを有している。
【００２３】
取付部１６ａは、室内外方向の長さが、凹状部２４の底面のうち、段差部２４ａよりも室外側の領域の室内外方向長さよりも短く形成されており、したがって凹状部２４の底面において室内外方向の任意の位置に取付けることができるが、ここでは取付部１６ａの室外端を外レール２１に当接させる位置、すなわち、補助下枠１６を最も室外寄りに配置して固定した場合を示している。
【００２４】
天面部１６ｃは、立ち上がり部１６ｂの上端から室内側に伸びる室内側部１６ｄと、立ち上がり部１６ｂの上端から室外側に伸びる室外側部１６ｅとからなり、室内側部１６ｄは、室内側に向かう下方傾斜状に形成され、室外側部１６ｅは、室外側に向かう下方傾斜状に形成され、これらが立ち上がり部１６ｂの位置が最も高い連続的な断面弧状をなして天面部１６ｃを構成している。
【００２５】
天面部１６ｃは、下枠１１の敷居面１５を構成する。すなわち、天面部１６ｃの高さ位置は、内レール２０と外レール２１及び室内立ち上がり片２３の上端位置と略同じ高さとなるようにされている。これによって、敷居面１５を室内外方向に広くして車椅子の走行を円滑にすることができると共に、意匠性も向上させることができる。
【００２６】
天面部１６ｃを構成する室内側部１６ｄと室外側部１６ｅは、それぞれ傾斜角度が異なるように形成されている。室外側部１６ｅは、立ち上がり部１６ｂの上端位置から室外側に向かって小さい傾斜角度を有するように形成され、室内側部１６ｄは、立ち上がり部１６ｂの上端位置から室内側に向かって室外側部１６ｅよりも大きい傾斜角度を有するように形成されている。ただし、天面部１６ｃは全体としては断面弧状をなすように形成されているため、上方から見たときには略水平な面として見えることとなる。また、室内側部１６ｄは、立ち上がり部１６ｂの上端位置からの延出幅が、室外側部１６ｅの延出幅よりも幅広に形成されている。
【００２７】
このように、天面部１６ｃの室内側部１６ｄと室外側部１６ｅで傾斜角度及び延出幅が異なることにより、補助下枠１６は異なる形状を有した下枠１１に対しても取付けることができる。図４には、図３とは異なる形状の下枠１１に補助下枠１６を取付けた場合の下枠１１付近縦断面図を示している。この図における下枠１１は、内レール２０と外レール２１、網戸レール２２及び室内立ち上がり片２３の上端位置が略同じ高さに形成されて敷居面１５を構成している点では図３の下枠１１と同様である。一方、図４の下枠１１は、上面が室内側から室外側に向かって下方傾斜状となるように形成されている点が異なっている。図４の下枠１１は、上面が室外側に向かう下方傾斜状に形成されていることにより、下枠１１上面に浸入する水の排水性を向上させている。
【００２８】
図４においては、下枠１１の凹状部２４に取付部１６ａが載置固定される補助下枠１６は、室外側に傾斜した状態で取付けられることとなる。この場合においても、天面部１６ｃは立ち上がり部１６ｂの上端位置よりも室内側部１６ｄ寄りの位置を頂点とした弧状をなしており、上方から見たときに図３の場合と同様の外観となる。前述のように室内側部１６ｄは室外側部１６ｅよりも大きく傾斜しているので、補助下枠１６が室外側に傾斜したときに室内側部１６ｄは水平の状態に近づき、一方で室外側部１６ｅは元々大きく傾斜していないため、補助下枠１６が室外側に傾斜してもそれほど大きく傾斜した状態とはならず、したがって天面部１６ｃは全体として略水平な状態を保つこととなる。
【００２９】
このように、補助下枠１６の天面部１６ｃを構成する室内側部１６ｄと室外側部１６ｅが、それぞれ異なる角度で傾斜していることにより、上面が傾斜していない下枠１１と上面が傾斜している下枠１１の両方に同じ補助下枠１６を用いることができ、部品の共用化によるコストダウンを図ることができる。特に、天面部１６ｃが断面弧状に形成されているので、いずれの下枠においても同様の外観とすることができ、意匠性も良好にすることができる。
【００３０】
また、補助下枠１６は、内障子２または外障子３を嵌め殺し状態とする機能も有している。図３に示すように、補助下枠１６は天面部１６ｃが外障子３と室内外方向に重なり合う領域に配置されるように取付けられている。図２において天面部１６ｃは、ハッチングされて示されている。この図のように、補助下枠１６は端面が外障子３の端部に当接し、外障子３は外レール２１を走行不能とされ嵌め殺し状態とされる。
【００３１】
補助下枠１６は、取付位置によって内障子２を嵌め殺し状態とすることもできる。図５には、補助下枠１６を異なる位置に取付けた場合の下枠１１付近拡大縦断面図を示している。この図に示すように、補助下枠１６の取付部１６ａは、室内端が下枠１１の凹状部２４に形成された段差部２４ａに当接するように取付けられている。このため、図３の場合に比べて補助下枠１６は室内側寄りに配置されて固定されている。
【００３２】
図６には、図５の場合におけるサッシの横断面図を示している。この図においても、補助下枠１６の天面部１６ｃはハッチングされて示されている。この図のように、補助下枠１６は端面が内障子２の端部に当接し、内障子２は内レール２０を走行不能とされ嵌め殺し状態とされる。
【００３３】
このように、補助下枠１６の下枠１１上面における取付位置に応じて内障子２または外障子３を嵌め殺し状態とすることができ、他に部品等を設けることなく簡易な構造で障子の嵌め殺し構成を実現することができる。
【００３４】
以上、本発明の実施形態について説明したが、本発明の適用は本実施形態には限られず、その技術的思想の範囲内において様々に適用されうるものである。
【図面の簡単な説明】
【００３５】
【図１】本実施形態におけるサッシの縦断面図である。
【図２】本実施形態におけるサッシの横断面図である。
【図３】図１の下枠付近拡大図である。
【図４】図３とは異なる形状の下枠に補助下枠を取付けた場合の下枠付近縦断面図である。
【図５】補助下枠を異なる位置に取付けた場合の下枠付近拡大縦断面図である。
【図６】図５の場合におけるサッシの横断面図である。
【符号の説明】
【００３６】
１    枠体
２    内障子
３    外障子
１０    上枠
１１    下枠
１２    縦枠
１３    室内樹脂片
１４    アングル部
１５    敷居面
１６    補助下枠
１６ａ  取付部
１６ｂ  立ち上がり部
１６ｃ  天面部
１６ｄ  室内側部
１６ｅ  室外側部
２０    内レール
２１    外レール
２２    網戸レール
２３    室内立ち上がり片
２４    凹状部
２４ａ  段差部
【図１】
2010150751.tif 000003
【図２】
2010150751.tif 000004
【図３】
2010150751.tif 000005
【図４】
2010150751.tif 000006
【図５】
2010150751.tif 000007
【図６】
2010150751.tif 000008